(57)【要約】【課題】  家庭や病院または介護施設などで寝たきりの人を簡単に入浴させることができる簡易浴槽【解決手段】  気密性と柔軟性を備えた空気室(１３)を有する少なくとも１以上の輪環(１２)にそれぞれ給排気弁(１４)を取付けて形成した枠体(１１)と、防水性を有するシート地(２２)で浴槽部(Ｚ)を形成した際の底面位置に少なくとも１以上の開閉可能な排水弁(３１)を取付けて形成した浴槽シート(２１)からなり、前記空気室(１３)内の空気を抜いて偏平形状にした枠体(１１)をベッド(Ｘ)上に位置し、該枠体の上面全体に前記浴槽シート(２１)を被せた後、前記枠体(１１)の空気室(１３)内に空気を注入して膨張させて形成した周囲壁部(Ｙ)の内側に前記浴槽シート(２１)による浴槽部(Ｚ)を形成したことを特徴とする。【選択図】  図１
2006158430.tif 000002
【特許請求の範囲】
【請求項１】
気密性と柔軟性を備えた空気室(１３)を有する少なくとも１以上の輪環(１２)にそれぞれ給排気弁(１４)を取付けて形成した枠体(１１)と、
防水性を有するシート地(２２)で浴槽部(Ｚ)を形成した際の底面位置に少なくとも１以上の開閉可能な排水弁(３１)を取付けて形成した浴槽シート(２１)からなり、
前記空気室(１３)内の空気を抜いて偏平形状にした枠体(１１)をベッド(Ｘ)上に位置し、該枠体の上面全体に前記浴槽シート(２１)を被せた後、前記枠体(１１)の空気室(１３)内に空気を注入して膨張させて形成した周囲壁部(Ｙ)の内側に前記浴槽シート(２１)による浴槽部(Ｚ)を形成したことを特徴とする介護用簡易浴槽。
【請求項２】
前記枠体(１１)は、合成ゴム材や合成樹脂材によりそれぞれチューブ状に形成した空気室(１３)を有する複数の独立した輪環(１２)を互いに接着して形成し、前記枠体(１１)の膨張時の全長が１７０〜１８０ｃｍ、最大幅が６０〜７０センチ、最小幅が４０〜５０センチ、高さが３０〜４０ｃｍであることを特徴とする請求項１記載の介護用簡易浴槽。
【請求項３】
前記浴槽シート(２１)が、合成ゴム材やポリエステルまたはポリウレタンなどの合成樹脂材などの防水性を有するシート地(２２)を縦２５０〜３５０ｃｍ、横１５０〜２５０ｃｍの大きさに形成し、該シート地の各角部の４個所、または、周縁中間部分を含む６箇所に吊孔(２５)を設け、浴槽部(Ｚ)を形成した底面位置の長手方向左右対称の６ヶ所に排水弁(３１)を取付けて形成したことを特徴とする請求項１記載の介護用簡易浴槽。
【請求項４】
気密性と柔軟性を有する合成ゴム材または合成樹脂材などによりチューブ状の空気室(１３)に給排気弁(１４)を取付けて形成した複数の輪環(１２)をそれぞれ上下方向に接着して枠体(１１)を形成し、前記枠体(１１)の膨張時の大きさが、全長１７４ｃｍ、最大幅が６３センチ、最小幅が４３センチ、高さが３２ｃｍに形成し、浴槽部(Ｚ)を形成する浴槽シート(２１)は、防水性を有する合成ゴム材やポリエステルまたはポリウレタンなどの合成樹脂材により形成したシート地(２２)の大きさを縦３００ｃｍ、横２００ｃｍに形成し、該シート地の各角部と周縁中間部分の６箇所に吊孔(２５)を設け、該シート地の略中央で浴槽部(Ｚ)を形成した際の底面部分で長手方向の左右両側に開閉可能な蓋板(３７)をそれぞれ有した６個の排水弁(３１)を取付けて形成し、前記空気室(１３)内の空気を抜いて扁平にした枠体(１１)をベッド(Ｘ)上に位置させ、該枠体の上面全体に前記浴槽シート(２１)を被せた後、枠体(１１)の空気室(１３)内に空気を注入して膨張させて形成した周囲壁部(Ｙ)の内側に前記浴槽シート(２１)による浴槽部(Ｚ)を形成したことを特徴とする介護用簡易浴槽。
【請求項５】
前記排水弁(３１)は、上端に弁口(３３)を有した排水筒(３２)の上端周縁に前記浴槽シート(２１)の内面と接着固定する幅広の係止鍔部(３５)を設け、該係止鍔部の一端に可撓性を有する連結部(３６)を介して前記排水筒(３２)の弁口(３３)を開閉する蓋板(３７)を一体に取付け、前記排水筒(３２)の下方内壁に設けた雌ねじ部(３４)と螺合するねじ部(４２)を有した接続筒(４１)を着脱可能に取付けて形成したことを特徴とする請求項４記載の介護用簡易浴槽。
【発明の詳細な説明】
【技術分野】
【０００１】
本発明は、家庭や病院または介護施設などで寝たきりの人を入浴させるときに使用する簡易浴槽に関する。
【背景技術】
【０００２】
従来より家庭や病院または介護施設などにおいて、寝たきりの病人や老人または身障者など（以下、入浴者という）を定期的に入浴させて体を清潔に保つことは介護の基本である。しかし、前記入浴者は、体の自由が利かないので入浴させる場合、複数（少なくとも３〜４人）の介護者が入浴者をベッドから持ち上げてストレッチャー等の移動手段に乗せて入浴施設に移動させ、さらに入浴者を前記介護者または吊り上げ装置などにより浴場に移動させて入浴させ、入浴後にはまた前記工程を繰り返すことにより元のベッドに戻す方法が行われている。この入浴方法は、多くの人の介護が必要なため介護者や家族の負担が大きく、作業中に介護者または家族が腰を痛めたり体調不良を起こしやすく大変な作業である。
【０００３】
そこで、入浴者が寝ているベッド上に浴槽を設置し、その場で入浴させる各種の簡易浴槽が考案され使用されている。特に、組み立てが簡単で使い勝手が良いことなどから浴槽を形成するための防水シートと、浴槽の壁面を形成する枠体とを別体に形成した簡易浴槽が知られている。そのうち、特開２００１−９５８８２は、ベッドに寝かせた入浴者の下側に防水シートを敷いた後、入浴者の周囲を複数の板を連結して形成した枠体で囲い、さらに前記防水シートの周縁を捲って枠体の内側から外側に垂らして枠体の内側に防水シートによる浴槽部を形成している。また、実開平４−１０８５３４号は、内部の空気を抜いて全体を矩形のチューブ状に形成した枠体をベッド上に位置し、該枠体の上面に防水シートを被せた後、枠体内に空気を注入して膨張させてダム部を形成し、該枠体の内側に防水シートによる浴槽部を形成している。
【特許文献１】特開２００１−９５８８２
【特許文献２】実開平４−１０８５３４
【発明の開示】
【発明が解決しようとする課題】
【０００４】
前記発明・考案の簡易浴槽はいずれも防水シートに排水弁を有しておらず、使用後の汚水は給排水ポンプを使用して排水するか、バキューム装置により排水を行っている。前記給排水ポンプは、給水しながら排水を行うことができないので、シャワーの使用中に流した汚水は浴槽内に溜まり、折角洗った身体がまた汚れるなど不衛生である。さらに浴槽内に溜まった汚水はシャワー洗浄の終了後に排水するため、使い勝手が悪く、また、排水に時間がかかり非能率的である。
【０００５】
さらには、前記防水シートに排水弁を設けていないため浴槽部内のお湯を給排水するための装置が大掛かりになるなど不便である。また、特開２００１−９５８８２の枠体は、複数の板材を連結して枠体を形成してあるだけであるため、シャワーによる洗浄用の浴槽としては簡便であるが、浴槽部にお湯を張って使用する場合、浴槽部内に入れた多量のお湯の水圧や、浴槽内のお湯が揺れる水圧などによって枠体が曲がったり折れたりするおそれがあるなど多くの問題点を有している。
【課題を解決するための手段】
【０００６】
請求項１の発明は、気密性と柔軟性を備えた空気室１３を有する少なくとも１以上の輪環１２にそれぞれ給排気弁１４を取付けて形成した枠体１１と、防水性を有するシート地２２で浴槽部Ｚを形成した際の底面位置に少なくとも１以上の開閉可能な排水弁３１を取付けて形成した浴槽シート２１からなり、前記空気室１３内の空気を抜いて偏平形状にした枠体１１をベッドＸ上に位置し、該枠体の上面全体に前記浴槽シート２１を被せた後前記枠体１１の空気室１３内に空気を注入して膨張させて形成した周囲壁部Ｙの内側に前記浴槽シート２１による浴槽部Ｚを形成したことを特徴とする。また、前記枠体１１は、合成ゴム材や合成樹脂材によりそれぞれチューブ状に形成した空気室１３を有する複数の独立した輪環１２を互いに接着して形成し、前記枠体１１の膨張時の全長が１７０〜１８０ｃｍ、最大幅が６０〜７０センチ、最小幅が４０〜５０センチ、高さが３０〜４０ｃｍであることを特徴とする。さらには、前記浴槽シート２１が、合成ゴム材やポリエステルまたはポリウレタンなどの合成樹脂材などの防水性を有するシート地２２を縦２５０〜３５０ｃｍ、横１５０〜２５０ｃｍの大きさに形成し、該シート地の各角部の４個所、または、周縁中間部分を含む６箇所に吊孔２５を設け、浴槽部Ｚを形成した底面位置の長手方向左右対称の６ヶ所に排水弁３１を取付けて形成したことを特徴とする。
【０００７】
したがって、周囲壁面を形成する枠体と、浴槽部を形成する浴槽シートとに分離して浴槽を形成することにより、寝たきりの人のベットシーツを交換するときと同じ要領の少人数の介護人で簡単にベッド上に浴槽を形成することができ、また、浴槽部を構成する浴槽シートの底面部に複数の排水弁を開閉可能に取付けたことにより、浴槽内の汚水を早く排水することができ、シャワーによる洗浄中でも身体を流した汚水を浴槽部に溜めることなく排水弁から流すことができるので清潔で衛生的である。
【０００８】
請求項４の発明は、気密性と柔軟性を有する合成ゴム材または合成樹脂材などによりチューブ状の空気室１３に給排気弁１４を取付けて形成した複数の輪環１２をそれぞれ上下方向に接着して枠体１１を形成し、前記枠体１１の膨張時の大きさが、全長１７４ｃｍ、最大幅が６３センチ、最小幅が４３センチ、高さが３２ｃｍに形成し、浴槽部Ｚを形成する浴槽シート２１は、防水性を有する合成ゴム材やポリエステルまたはポリウレタンなどの合成樹脂材により形成したシート地２２の大きさを縦３００ｃｍ、横２００ｃｍに形成し、該シート地の各角部と周縁中間部分の６箇所に吊孔２５を設け、該シート地の略中央で浴槽部Ｚを形成した際の底面部分で長手方向の左右両側に開閉可能な蓋板３７をそれぞれ有した６個の排水弁３１を取付けて形成し、前記空気室１３内の空気を抜いて扁平にした枠体１１をベッドＸ上に位置させ、該枠体の上面全体に前記浴槽シート２１を被せた後、枠体１１の空気室１３内に空気を注入して膨張させて形成した周囲壁部Ｙの内側に前記浴槽シート２１による浴槽部Ｚを形成したことを特徴とする。また、前記排水弁３１は、上端に弁口３３を有した排水筒３２の上端周縁に前記浴槽シート２１の内面と接着固定する幅広の係止鍔部３５を設け、該係止鍔部の一端に可撓性を有する連結部３６を介して前記排水筒３２の弁口３３を開閉する蓋板３７を一体に取付け、前記排水筒３２の下方内壁に設けた雌ねじ部３４と螺合するねじ部４２を有した接続筒４１を着脱可能に取付けて形成したことを特徴とする。
【０００９】
したがって、周囲壁面を形成する枠体と、浴槽部を形成する浴槽シートとに分離して浴槽を形成したことにより、寝たきりの人のベットシーツを交換するときと同じ要領の少数の介護人で入浴者を動かすだけで簡単にベッド上に浴槽を形成することができ、また、浴槽部を構成する浴槽シートの底面部に複数の排水弁を開閉可能に取付けたことにより、浴槽内の汚水を早く排水することができ、シャワーによる洗浄中でも身体を流した汚水を浴槽部に溜めることなく排水弁から流すことができるので清潔で衛生的である。また、浴槽部内のお湯の排水が容易であるため使用するお湯や水が制限されることなく自由に使用することができるので、入浴者の臥褥創や体の隅々まできれいに洗うことができ、病気の治癒に有効である。
【発明を実施するための最良の形態】
【００１０】
本発明に係る実施の形態を図面により説明すると、図１は簡易浴槽の使用状態を示す斜視図、図２は枠体の平面図、図３は図２のＡ―Ａ断面図、図４は浴槽シートの平面図、図５は排水弁の拡大断面図である。簡易浴槽１０は、浴槽の周囲壁面Ｙを形成するための枠体１１と、前記枠体１１の内側に浴槽部Ｚを形成するための浴槽シート２１とにより構成されている。
【００１１】
図２、３は簡易浴槽１０を構成する枠体の第１の実施に形態を示す第１枠体１１で、合成ゴム材や合成樹脂材によりそれぞれチューブ状に形成した複数の輪環１２ａ、１２ｂの内部にそれぞれ空気室１３ａ、１３ｂを設け、各輪環１２ａ、１２ｂを上下方向に接着して膨張時における周囲壁面Ｙを形成し、各輪環１２ａ、１２ｂの任意個所で空気室１３ａ、１３ｂに空気を出し入れする公知の給排気弁１４を取付けてある。
【００１２】
第１枠体１１を構成する各輪環１２ａ、１２ｂの空気室１３ａ、１３ｂをそれぞれ独立させたことにより、使用中にいずれかの輪環１２ａ、１２ｂに穴が開き空気が洩れでた場合、第１枠体１１で形成した周囲壁面Ｙの全部が潰れることなく、穴が開いた一部の輪環のみが変形するだけなので浴槽内に溜めてあるお湯が全部漏れ出ることがない。したがって、第１枠体１１全体の型崩れを防止することができるので漏れ出たお湯による被害を最小源に押さえることができる。
【００１３】
前記第１枠体１１の空気室１３内に空気を入れて膨張させたときの大きさは、胴体部分の横幅を６０〜７０ｃｍ、好ましくは６３ｃｍと広く形成し、足先部分部分の横幅を４０〜５０ｃｍ、好ましくは４３ｃｍと狭く形成して全長を１７０〜１８０ｃｍ、好ましくは１７４ｃｍで全体を略楕円形に形成して無駄な浴槽スペースを省いて資材の軽減および使用するお湯の量を少なくすることができる。また、各輪環１２ａ、１２ｂの空気室１３ａ、１３ｂに空気を入れた膨張時における第１枠体１１の高さは３０〜４０ｃｍ、好ましくは３２ｃｍとすることにより、浴槽部Ｚ内に仰臥させた入浴者を十分にお湯に浸たらせて温めることができ、且つ、お湯が枠体１１の上端から溢れ出るのを防止することができる。
【００１４】
図８は枠体の第２の実施形態を示す第２枠体１７を使用して形成した浴槽１６で、合成ゴム材や合成樹脂材によりそれぞれチューブ状に形成した空気室１８の上下方向を高くして膨張時の断面形状を小判型、楕円形または矩形などに形成し、膨張時の高さが少なくとも３０〜４０ｃｍで、好ましくは３２ｃｍを保つように形成してある。この第２枠体１７の一側には空気室１８に空気を給排する給排気弁１９を取付けてある。第２枠体１７は一つの空気室と、一つの給排気弁とにより構成され、部品数を少なくしたことにより、製造工程が少なく軽量化を図ることができると共にコストの軽減化を図ることができる。
【００１５】
図４に示すごとく、浴槽シート２１は、合成ゴム材やポリエステルまたはポリウレタンなどの合成樹脂材などの防水性を有するシート地２２を、縦２５０〜３５０ｃｍ好ましくは３００ｃｍ、横１５０〜２５０ｃｍ、好ましくは２００ｃｍの大きさに形成し、該シート地の各角部および周縁中間部分の６箇所に吊孔２５を設け、浴槽部Ｚを形成した際の底面位置で長手方向左右対称位置に開閉可能な排水弁３１を６箇取付けて形成してある。この排水弁３１の取付け位置は、浴槽部Ｚ内に入浴者が仰臥したときの肩甲骨の位置と臀部の位置と足部の位置付近にそれぞれ配してある。前記位置は、入浴者が浴槽部Ｚ内に仰臥したとき、入浴者の体重によって凹む位置で、該位置に残り少なくなったお湯が溜まりやすく早く簡単に排水することができる。
【００１６】
前記排水弁３１は、６箇所の排水弁の全部を同時に使用するのではなく、左右いずれか一方側に位置した３個の排水弁を使用する。左右いずれの排水弁を使用するかは、入浴者の身体の状態、例えば、入浴者の身体の左右いずれかに麻痺の症状がある場合、麻痺のある側を下にすることができないので、反対側の排水弁を使用して排水する。さらには、ベッドの位置などによって排水する方向が限られる場合があるので、排水弁を左右に設けることにより、用途によって使い分けすることができるので便利である。
【００１７】
図５に示すごとく、排水弁３１は、排水筒３２の上端に設けた弁口３３の周縁に前記シート地に溶着させる係止鍔部３５と、該係止鍔部の一端に可撓性を有する連結部３６を介して蓋板３７を一体に取付け、該蓋板３７の裏面に設けた嵌合部３８を前記排水筒３２の弁口３３に嵌合させて弁口３３を開閉可能に形成してある。この蓋板３７の一端には嵌合部３８で閉口した弁口３３を開口させる際、水圧で開けにくい蓋板３７を容易に開口させるための舌部３９を一体に取付けてある。さらに前記排水筒３１の下端内壁に設けた雌ねじ部３４と接続筒４１に設けたねじ部４２ａとを着脱可能に連結し、該接続筒の他端に浴槽部Ｚ内の汚水を排水枡や流しに送水するための排水パイプ４５を連結するねじ部４２ｂを設けてある。
【００１８】
浴槽シート２１に取付ける排水弁３１は、シート地２２の底面所定個所に設けた孔２３に排水筒３２を挿通して係止鍔部３５とシート地の孔２３周縁の一定幅を溶着して取付けてある。この係止鍔部３５を幅広に形成してシート地２２との溶着面積を広くしたことにより水圧で排水弁３１の溶着部分が切れたり裂けたりして水漏れするのを防止することができる。前記排水弁３１の閉口は、排水筒３２の弁口３３に蓋板３７の嵌合部３８を嵌合させて行い、弁口３３の開口は蓋板３７の一端に設けた舌部３９を摘んで引き上げることにより簡単に弁口３３から離脱させることができる。
【００１９】
以下、本発明に係る簡易浴槽１０の作用について説明すると、入浴者が寝ているベッドＸ上に浴槽１０を設置する場合、第１段階は図９（イ）に示すごとく、ベッド上に仰臥位姿勢の入浴者の周囲に空気室１３の空気を抜いて扁平形状にした枠体１１を位置させる。
【００２０】
第２段階は図９（ロ）に示すごとく、寝たきりの人のベッドシーツ交換の時と同じように入浴者を側臥位にした後、浴槽シート２１の長手方向端部を折り畳んだり、巻き込んだりして側臥位の入浴者の背中側からベッドと身体の隙間に敷き込む。
【００２１】
第３段階は図９（ハ）に示すごとく、側臥位の入浴者を仰臥位に戻すと共にベッドと身体の隙間に敷き込んだ浴槽シート２１の端部を反対側から引き出して枠体１１の上面全体に広げて被せる。ベッド上に広げた浴槽シート２１の四隅または中間部に設けた６箇所の吊孔２５に紐などを通してベッドの四隅または部屋の四隅などに連結して浴槽シート２１の周縁部を適当な高さに吊り上げる。浴槽シート２１は図１に示すごとく、周縁部を吊り上げることにより、入浴中のシャワーなどによる水しぶきが浴槽外に飛び散るのを防止し、万一、枠体１１に穴が開いて周囲壁面Ｙが崩れた場合、浴槽内のお湯が洩れ出るのを防止することができる。この浴槽シート２１の吊り上げは、入浴時に必ず行うものではなく、枠体１１からベッドの外側に垂らしてベッドが濡れないようにして使用しても良い。
【００２２】
第４段階は図９（ニ）に示すごとく、枠体１１を構成する輪環１２の空気室１３内に公知の簡便なエアポンプやコンプレッサーなどで空気を注入して膨張させて周囲壁面Ｙを形成すると共に、該枠体の内側に浴槽シート２１による浴槽部Ｚを形成することができる。さらにこの浴槽シート２１に設けた一方側の排水弁３１にそれぞれ接続筒４１を介して排水パイプ４５を連結することにより少人数（１〜２人）で簡単に浴槽１０を形成することができる。
【００２３】
入浴は、浴槽シート２１の排水弁３１を開口したままで、シャワーにより入浴者の陰部または下肢などを大雑把に洗い流す。排水弁３１の弁口３３を開口させたままにしてあるので、洗浄後の汚水は浴槽内に溜まることなくそのまま弁口３３から排水されるので、入浴者が不快感を生ぜず快適に入浴させることができる。
【００２４】
シャワーによる流し洗いが終了した後、浴槽部Ｚの排水弁３１の弁口３３に蓋板３７を被せて閉じ、浴槽部内にお湯を溜めて身体を温めながら洗う。身体を洗い終わったら弁口３３を閉口している蓋板３７の舌部３９を摘んで引き上げることにより水圧により加圧された蓋板３７を簡単に開口させて排水することができる。
【００２５】
汚水の排水は、排水パイプ４５を取付けた３箇所の排水弁を随時開口することにより効率よく排水することができる。開口した側の排水弁３１付近には入浴者の肩、臀部または足が位置して凹んでいるため浴槽部Ｚ内のお湯は効率よく各排水弁付近に集中して容易に排水することができる。身体を洗った汚水を排水した後、排水弁３１の弁口３３を開口したままにして入浴者の身体を再度シャワーで数回洗い流して清潔にした後、身体を拭き乾かして入浴が終了する。
【００２６】
浴槽１０の撤収は、枠体１１の空気室１３内の空気を抜きながら、浴槽シート２１の内側を拭いて乾かす作業を行う。浴槽シート２１の内側を拭いて乾かすことにより、寝たままの入浴者に下着やパジャマを着せるとき、該下着やパジャマが濡れないようにすることができる。
【００２７】
ついで、枠体１１内の空気が抜けて扁平形状になった後、入浴者を側臥位にして浴槽シート２１の長手方向端部を折り畳んだり、巻き込んだりした端部を側臥位の入浴者の背中側からベッドと身体の隙間に敷き込んだ後、側臥位の入浴者を仰臥位に戻すと共に浴槽シートの端部を反対側から引き出すことにより、簡単に浴槽シート２１を取り除くことができる。さらに扁平になった枠体１１を持ち上げて取り除くことによりベッドＸ上から浴槽１０を簡単に撤収することができる。
【００２８】
撤収後、枠体１１や浴槽シート２１を消毒液に浸けたり噴霧したりして消毒した後、消毒液を洗い流して乾燥させて収納する。
この簡易浴槽１０は、前述のごとく、浴槽を枠体１１と浴槽シート２１とに分離して小型軽量にしたことにより持ち運びが便利で、自宅介護者の入浴や、エレベータのない４階建てアパートの高層階など、いつでもどこでも手軽に運んで簡単に組み立て入浴させることができるのは勿論である。
【図面の簡単な説明】
【００２９】
【図１】簡易浴槽の使用状態を示す斜視図である。
【図２】枠体の平面図である。
【図３】図２のＡ―Ａ断面図である。
【図４】浴槽シートの平面図である。
【図５】排水弁の拡大断面図である。
【図６】空気室の空気を抜いた枠体をベッド上に載置し、該枠体の上面に浴槽シートを被せた状態を示す説明図である。
【図７】第１枠体を使用して形成した浴槽の断面図ある。
【図８】第２枠体を使用して形成した浴槽の断面図ある。
【図９】本発明に係る枠体と浴槽シートを使用して浴槽を形成する方法を示した説明図で、（イ）はベッド上に仰臥した入浴者の周囲に扁平な枠体を位置させた状態の断面図である。（ロ）はベッド上で入浴者を側臥位にして浴槽シートの一端を敷き込んだ状態の断面図である。（ハ）は入浴者を仰臥位に戻して浴槽シートを枠体の上面全体に被せた状態を示す断面図である。（ニ）は枠体の空気室に空気を入れて枠体を膨張させて浴槽部を形成した状態の断面図である。
【符号の説明】
【００３０】
１０    簡易浴槽
１１    第１枠体
１２    輪環
１３    空気室
１４    給排気弁
２１    浴槽シート
２２    シート地
２３    孔
２５    吊孔
３１    排水弁
３２    排水筒
３３    弁口
３５    係止鍔部
３６    連結部
３７    蓋板
３８    嵌合部
３９    舌部
Ｘ    ベッド
Ｙ    周囲壁面
Ｚ    浴槽部
【図１】
2006158430.tif 000003
【図２】
2006158430.tif 000004
【図３】
2006158430.tif 000005
【図４】
2006158430.tif 000006
【図５】
2006158430.tif 000007
【図６】
2006158430.tif 000008
【図７】
2006158430.tif 000009
【図８】
2006158430.tif 000010
【図９】
2006158430.tif 000011